(57)【特許請求の範囲】
【請求項１】
プラントの運転管理に必要な運転データを収集すると共に、収集した運転データについて承認を得て運転データを保存管理する運転データ管理装置において、プラントのプロセスデータを運転データとして取込むプロセスデータ入力部と、このプロセスデータ入力部により取り込まれた運転データを収集し承認に必要な運転データが全て収集されたとき、収集完了を判定するデータ収集判定部と、このデータ収集判定部によって収集完了と判定された運転データを承認履歴テーブルへ記憶すると共に、承認要求を出力する承認要求判定部と、この承認要求判定部から承認要求を入力すると前記承認履歴テーブルから運転データを取出し承認指定箇所を有する承認運転データとして表示装置へ出力する表示データを作成する表示処理部と、前記表示処理部により作成された前記表示データの前記表示装置における表示に応じて承認実行者からの承認の指示を入力するための入力装置と、前記入力装置により承認の指示が入力された場合、前記承認運転データに対話処理にて承認行為の入力がされたとき承認者名を含む承認データと運転データとを対応させて前記承認履歴テーブルへ保存させる承認行為確定制御部とを備えることを特徴とする運転データ管理装置。
【請求項２】
予め定める承認実行者の有資格データを保存し判定するセキュリティ管理部と、前記表示処理部によって表示装置へ表示される運転データに対話処理にて前記入力装置から承認行為の入力がされたとき、前記セキュリティ管理部へ承認行為の資格者か否かのデータを出力して有資格者と判定された場合のみ前記承認行為を有効とする承認行為実行制御部とを設けることを特徴とする請求項１記載の運転データ管理装置。
【請求項３】
対話処理による要求によって前記承認履歴テーブルから承認行為のデータを取出して表示装置へ承認済と未承認とを識別して、あるいは、承認済か未承認のいずれか一方を選別して一覧表示をすることを特徴とする請求項１記載の運転データ管理装置。
【請求項４】
前記承認履歴テーブルに保存されるデータ内で、未承認データの保存期間をチェックして前記保存期間が所定期間以上の場合にその旨表示装置へ表示させる保存期間チェック部を備えることを特徴とする請求項１または請求項３記載の運転データ管理装置。
【発明の詳細な説明】
【０００１】
【発明の属する技術分野】
本発明は、発電所の廃棄物処理施設や化学工場のような化学プラント等において、運転データの運転の承認を得て管理する運転データ管理装置に関する。
【０００２】
【従来の技術】
例えば、Ａ槽からＢ槽へある物質を移送するプラントでは、運転データを履歴保存する場合に管理責任者等の承認を得て運転管理がされている。
【０００３】
従来の運転データ管理装置は、図１６に示すように、プロセスデータ入力部１を用いて入力されたプラントの各種情報をデータ収集判定部２が収集し、プラントの運転上必要な予め定められた運転データを全て収集したとデータ収集判定部２が判断した場合に、その運転データを表示処理部４へ送りＣＲＴ装置５上へ表示すると共に、ハードコピーや帳票として保存していた。
【０００４】
プラントの運転員は、紙に記載される運転データを責任者へ提示して承認印を得ていた。書面はデータシートと呼ばれ、プラント責任者の承認の末／済にかかわらず正式データとして保管されていた。
【０００５】
【発明が解決しようとする課題】
しかしながら、図１６に示す如くの運転データ管理装置１００では、口頭等で承認の伺いがされており、何かの手違いで、未承認のまま保管されたり、また、承認行為を促す手間も担当者の負担となる等の管理上の問題がある。
【０００６】
まず、例えば、第１に、口頭等で承認者へ承認の伺いをするのでは、不用意により承認の伺いを忘れたり、承認者の机の上に積み上げられて放置されたりするおそれがある。その上、書面では、承認を得る前や承認の伺いをする際に紛失するおそれがある。
【０００７】
第２に、担当者がその都度、書面を提示して承認伺いをするのでは、担当者にとって大きな負担となる。特に、多量の書類が承認されたのか未承認なのか区別して人手によって管理しようとすることは担当者にとっての負担が大きい。
【０００８】
そこで、本発明は、人手を介することなく、運転データの承認が確実にでき、未承認の対象が即座に判り、運転データの管理が徹底できると共に、担当者の負担を軽減する運転データ管理装置を提供することを目的とする。
【０００９】
【課題を解決するための手段】
請求項１の発明は、プラントの運転管理に必要な運転データを収集すると共に、収集した運転データについて承認を得て運転データを保存管理する運転データ管理装置において、プラントのプロセスデータを運転データとして取込むプロセスデータ入力部と、このプロセスデータ入力部により取り込まれた運転データを収集し承認に必要な運転データが全て収集されたとき、収集完了を判定するデータ収集判定部と、このデータ収集判定部によって収集完了と判定された運転データを承認履歴テーブルへ記憶すると共に、承認要求を出力する承認要求判定部と、この承認要求判定部から承認要求を入力すると承認履歴テーブルから運転データを取出し承認指定箇所を有する承認運転データとして表示装置へ出力する表示データを作成する表示処理部と、表示処理部により作成された表示データの表示装置における表示に応じて承認実行者からの承認の指示を入力するための入力装置と、入力装置により承認の指示が入力された場合、承認運転データに対話処理にて承認行為の入力がされたとき承認者名を含む承認データと運転データとを対応させて承認履歴テーブルへ保存させる承認行為確定制御部とを備えるようにしたものである。この手段によれば、プラントの運転管理に必要な運転データが収集され、収集が完了するとテーブルへ保存されると共に、表示装置を介して承認行為を求める通知がされる。これにより、表示によって承認実行者は承認の必要なことが判り、入力装置により承認の指示を入力して直ちに承認ができる。また、運転データと承認者とが関連づけられてテーブルへ保存される。また、運転データに承認行為のデータが一体となって保存され、徹底した管理がされる。従って、従来のように、紙に記載された運転データを承認実行者に提示して承認を得る手間が削減される一方、未承認のまま放置される等の運転管理上の弊害が除去できる。
【００１０】
請求項２の発明は、請求項１記載の運転データ管理装置において、予め定める承認実行者の有資格データを保存し判定するセキュリティ管理部と、表示処理部によって表示装置へ表示される運転データに対話処理にて入力装置から承認行為の入力がされたとき、セキュリティ管理部へ承認行為の資格者か否かのデータを出力して有資格者と判定された場合のみ承認行為を有効とする承認行為実行制御部とを設けるようにしたものである。この手段によれば、入力装置から承認行為をした者のデータを通知して承認行為の有資格者を判定するデータとによって有資格者と判定される承認行為のみが有効とされる。これにより、限定された有資格者の承認行為のみ保存される運転データの信頼性を確保できる。
【００１１】
請求項３の発明は、請求項１記載の運転データ管理装置において、対話処理による要求によって承認履歴テーブルから承認行為のデータを取出して表示装置へ承認済と未承認とを識別して、あるいは、承認済か未承認のいずれか一方を選別して一覧表示をするようにしたものである。この手段によれば、承認実績一覧表示がされ、承認、未承認が一目で閲覧でき、管理が徹底でき、管理上の負担も軽減できる。さらに、未承認の運転データの異なる表示により、未承認のものが即座に区別して判り、徹底した管理ができる。
【００１２】
請求項４の発明は、請求項１または請求項３記載の運転データ管理装置において、承認履歴テーブルに保存されるデータ内で、未承認データの保存期間をチェックして保存期間が所定期間以上の場合にその旨表示装置へ表示させる保存期間チェック部を設けるよいにしたものである。この手段によれば、所定期間以上の未承認のままの運転データが抽出され表示される。これにより、即座に再度の承認行為の要求ができ、未承認のまま長期間放置されるおそれが解消できる。
【００１４】
【発明の実施の形態】
以下、本発明の実施の形態について図面を参照して説明する。
【００１５】
図１は、本発明の第１実施の形態を示す運転データ管理装置の構成図であって、従来技術を示す図１６と同一符号は、同一部分または相当部分を示している。
【００１６】
プロセスデータ入力部１は、プロセスデータを運転データとして入力する。データ収集判定部２は、承認されるべき運転データが全て揃っているかどうかをチェックする。承認要求判定部３は、承認要求の信号を表示処理部４に送信する。承認履歴テーブル１１は、承認されるべき運転データを履歴保存しておく。表示処理部４は、表示装置５によってプラント責任者に承認要求を通知する。承認行為確定制御部１０は、承認運転データについて対話処理によって承認行為の入力がされたとき承認者を含む承認データと運転データとを対応させ承認履歴テーブル１１へ保存する。
【００１７】
次に第１実施の形態の処理を図２に従って説明する。
【００１８】
まず、プロセスデータ入力部１はプロセスデータを取り込む（１０１）。プロセスデ−タ入力部１は、取り込んだデータをデータ収集判定部２へ送る（１０２）。データ収集判定部２は承認されるべきデータが全て揃っているかどうかをチェックし（１０３）、揃った場合のみ、そのデータを図３に示す承認履歴テーブル１１に書き込む（１０４）。
【００１９】
図３に示す承認履歴テーブル１１は、承認データ毎のエリアに「承認発生日時」「承認分類名」「承認対象」「承認日時」「承認者」が保存されると共に、承認データ毎に対応する運転データを図示しないエリアに保存するように構成されている。
【００２０】
この時点では、承認日時、承認者はブランクとする。データが揃ったという信号が承認要求判定部３へ送られると、承認要求判定部３から承認要求を通知させる命令が表示処理部４へ送る（１０５）。表示処理部４は、ＣＲＴ画面の指定箇所を点滅表示させて承認要求表示を行い、プラント責任者へ通知する（１０６）。これに応じて入力装置６を介して承認行為がされる。
【００２１】
また、図４は承認行為確定制御部１０の処理を示し、まず、ＣＲＴ装置５に承認実施のためのサブウィンドウ内に登録者名が表示された後、承認を行う際にそのウィンドウ内にある確定ボタンを入力装置６にて選択する（３０１）。承認行為確定制御部１０はその信号を受け取り、承認日時、承認者名を書き込んで承認履歴テーブル１１に保管する（３０２）。
【００２２】
このように第１実施の形態によれば、プラントの各種情報がプロセスデータ入力部により入力され、入力されたプロセスデータがデータ収集判定部においてプラント責任者の承認によるプラント運転管理に必要とされる全てのデータがそろったか否かが判定され、プラント責任者によるプラントの運転データ承認が必要なプロセスデータがそろったと判定されたならば、承認要求判定部３はプラント責任者による承認が必要なデータ、すなわち、運転データの承認要求データが発生したことを示す表示を行うように表示処理部４へ通知し、表示処理部４ではその通知をもって表示装置上にプラント責任者による承認が必要であることを示す表示を行う。
【００２３】
また、承認された承認データと運転データとを関連づけ承認者の指標と共に、承認行為確定制御部１０によって承認済の運転データとして保存するので、運転データの管理が行われ運転データの管理が効果的にできる。
【００２４】
これにより、表示によって承認実行者は承認の必要なことが判り、直ちに承認ができる。また、運転データに承認のデータが一体となって保存され、徹底した管理ができる。従って、従来のように紙に記載された運転データを承認実行者に提示して承認を得る手間が削減される一方、未承認のまま放置されることの弊害が除去できる。
【００２５】
図５は、本発明の第２実施の形態を示す運転データ管理装置の構成図であって、従来例を示す図１６と同一符号は、同一部分または相当部分を示している。
【００２６】
表示処理部４は、承認を要するデータを記したデータシートや承認実施ためのサブウィンドウを表示させる。対話入力処理部７は、承認実施データを入力操作を受け付け、かつ、その信号を承認行為実行制御部８に送信したり、最後に承認行為確定命令を送信する。セキュリティ管理部９は、入力された承認実施データを、該当承認実施データの入力を行った者がプラント責任者としての資格を有する者が承認行為を行っているか否かの判定を行い、その結果を承認行為実行制御部に送信する。承認行為実行制御部８は、セキュリティ管理部９におけるセキュリティチェックの結果の正誤により、正の判定の場合には表示処理部４にパスワードおよびＩＤカード等の登録者名を表示させ、誤判定の場合には、その旨を伝えるメッセージを表示させる命令を表示処理部４に送信する。
【００２７】
次に、第２実施の形態の処理を図６に従って説明する。
【００２８】
まず、通知された承認要求に入力装置６を用いて応答する（２０１）。この信号が対話処理部７により受け取られ、表示処理部４へ表示命令が出されると表示処理部４は承認履歴テーブル１１より承認されるべきデータを読み込んで図７に示すデータシート５０を表示する（２０２）。プラント責任者がそのデータシート５０のデータに対して承認を行う場合、データシートウィンドウ内の承認操作ボタン５０ａを入力装置６を用いて選択する（２０３）。
【００２９】
対話入力処理部７では、その信号を受け取り表示処理部４へ表示命令を出力すると共に、表示処理部４はＣＲＴ装置５において承認を行うために、図８に示すサブウィンドウ５１を表示する（２０４）。そして、入力装置６によりプラント責任者がパスワード入力を行った後、承認を実行するためのボタン５１ａを入力装置６により選択する（２０５）。承認行為実行制御部８はその信号を受け取り、セキュリティ管理部９にパスワード入力を行った者と、予め本装置に登録されたすなわち、プラント責任者としての資格を有する者が承認行為を行っているか杏かの判定を行うよう要求信号を送信する（２０６）。
【００３０】
セキュリティ管理部９は、図９に示すように構成され、予め定めるパスワードとパスワード登録者名とがセキュリティチェックテーブルに登録され、セキュリティチェックを行い、その判定結果により正の場合のみ承認行為実行制御部８を介してサブウィンドウ上にパスワード登録者名を表示させ確定ボタン５１ｂを押すと有効とされる（２０７）。一方、誤判定の場合には、承認行為実行制御部８を介してその旨を伝えるメッセージを表示させる（２０８）ように表示処理部４に信号を送る。
【００３１】
このように第２実施の形態は、第１実施の形態の作用に加え、入力装置６より承認行為が必要なデータに対して承認を行ったことを示すデータ、すなわち、承認実施データを入力し、該当承認実施データの入力を行った者が予め本装置に登録された、すなわち、プラント責任者としての資格を有する者が承認行為を行っているか否かの判定をセキュリティ管理部９によって行い、承認資格を有するものが承認したと判定した場合、承認行為が行われたことを承認要求判定部３へ通知し、承認要求判定部３では該当運転データ承認要求データは承認済であることを表示処理部４へ通知し、表示処理部４では承認行為が行われたことを示す表示を表示装置５上に表示する。これにより、限定された者のみが承認でき、運転データの信頼性が確保できる。
【００３２】
図１０は、本発明の第３実施の形態を示す運転データ管理装置の構成図であって、従来例を示す図１６と同一符号は、同一部分または相当部分を示している。
【００３３】
第３実施の形態は、対話処理による要求によって承認履歴テーブル１１から承認データを取出してＣＲＴ装置５へ承認実績一覧表示をすることを特徴とするものである。
【００３４】
まず、通知された承認要求に入力装置６から応答すると、その信号が対話入力処理部７により受け取られ、表示処理部４へ図１１に示す承認実績一覧ウィンドウ５２の表示するように信号が送られる。表示処理部４は承認履歴テーブル１１を読み込み、その承認データのうち、承認日時、承認者が存在するデータには承認済みデータであることを示す表示を行い、承認日時、承認者がプランクであるデータには、未承認データであることを表す表示をＣＲＴ装置５において、図１１に示すように行う。この図１１の承認実績一覧ウィンドウ５２には、承認エリア５２ａに承認済データの場合「済」の表示がされ未承認データの場合「未」が表示される。これにより、承認実績を一括して閲覧することが可能となり、プラント責任者のプラント運転管理に係わる負荷軽減が図れる。
【００３５】
また、第３実施の形態では、承認実績一覧表示の内で、承認済と未承認を区別して異なる表示、あるいは、未承認のみの表示の一覧表示、若しくは新たに承認行為が必要なものを異なる表示とすることを特徴とするものである。
【００３６】
まず、図１２に示す承認実績一覧ウィンドウ５３から未承認データ一覧を表示させるために未承認データのボタン５３ａを押して入力装置６から応答すると、その信号が対話入力処理部７により受け取られ、表示処理部４に未承認データ一覧を表示するように信号が送られる。表示処理部４は承認履歴テーブル１１を読み込み、その全データのうち、承認日時、承認者がブランクである未承認データのみの表示をＣＲＴ装置５に表示する。これにより、承認行為が必要なデータのみが一覧表示され、プラント責任者による承認が必要な運転データが即座に判り、プラント運転管理に係わる担当者の負荷軽減が図れる。
【００３７】
なお、表示処理部４は承認履歴テーブル１１を読み込み、該当承認要求データを引き当て、図１１あるいは図１２の承認実績一覧ウィンドウにおいて未承認データを最上部に表示し、その文字を色替え、点滅させて他の承認済み、未承認データとは異なる表示をＣＲＴ装置５において表示するようにしてもよい。これにより、最新の承認要求に関する情報を責任者が容易に判断できるため速やかに承認行為が実行できる。
【００３８】
図１３は、本発明の第４実施の形態を示す運転データ管理装置の構成図である。
【００３９】
第４実施の形態は、（現在時刻−承認発生日時）と（保存期間−一定期間）とを一定の周期で比較する保存期間チェック部１２と、この保存期間チェック部１２での結果において、未承認の期間が保存期間より一定期間減算した値が大きい場合、直ちに再度承認要求を表示処理部４に出力させるようにする点に特徴を有している。
【００４０】
まず、図１４に示す処理により、承認履歴テーブル１１のデータにうち、承認日時、承認者がブランクである未承認データのみ抽出がされ、その承認要求発生日時を読み込む（７０１）。次に、保存期間チェック部１２が、現在時刻と承認要求発生日時との差と予め設定されたデータ保存期間と一定期間（一定の余裕値）との差（保存期間のデータが消去される期間）との差を常時一定周期で比較する。
【００４１】
すなわち、ＣＲＴ装置５の承認実績一覧、未承認データ一覧は、承認要求発生日時の最新のものから古いものという順序で上から表示しているが、（現在時刻−承認要求発生日時）≧（データ保存期間−一定期間）という条件が成立した場合には、承認要求判定部３が承認要求を通知させる命令、及び、承認実績一覧、未承認データ一覧において該当未承認データを最上部に表示する等の他のデータと区別できる表示を行う信号を表示処理部４へ送る。表示処理部４は上記のような表示を行い、プラント責任者へデータが未承認のまま消去されることのないように通知する（７０２）。これにより、承認されていないものが未承認のままデータが消去されることを防ぐことができる。
【００４２】
図１５は、本発明の第５実施の形態を示す運転データ管理装置の構成図であって、従来技術を示す図１６と同一符号は、同一部分または相当部分を示している。
【００４３】
プロセスデータ入力部１は、プロセスデータを運転データとして入力する。データ収集判定部２は、承認されるべき運転データが全て揃っているかどうかをチェックする。承認要求判定部３は、承認要求の信号を表示処理部４に送信する。承認履歴テーブル１１は、承認されるべき運転データを履歴保存しておく。表示処理部４は、表示装置５によってプラント責任者に承認要求を通知する。
【００４４】
第５実施の形態の処理は図２に示すと同様に、まず、プロセスデータ入力部１はプロセスデータを取り込む（１０１）。プロセスデ−タ入力部１は、取り込んだデータをデータ収集判定部２へ送る（１０２）。データ収集判定部２は承認されるべきデータが全て揃っているかどうかをチェックし（１０３）、揃った場合のみ、そのデータを図３に示す承認履歴テーブル１１に書き込む（１０４）。
【００４５】
図３に示すと同様に、承認履歴テーブル１１は、承認データ毎のエリアに「承認発生日時」「承認分類名」「承認対象」「承認日時」「承認者」が保存されると共に、承認データ毎に対応する運転データを図示しないエリアに保存するように構成されている。
【００４６】
この時点では、承認日時、承認者はブランクとする。データが揃ったという信号が承認要求判定部３へ送られると、承認要求判定部３から承認要求を通知させる命令が表示処理部４へ送る（１０５）。表示処理部４は、ＣＲＴ画面の指定箇所を点滅表示させて承認要求表示を行い、プラント責任者へ通知する（１０６）。これに応じて入力装置６を介して承認行為がされる。
【００４７】
このように第５実施の形態によれば、プラントの各種情報がプロセスデータ入力部により入力され、入力されたプロセスデータがデータ収集判定部においてプラント責任者の承認によるプラント運転管理に必要とされる全てのデータがそろったか否かが判定され、プラント責任者によるプラントの運転データ承認が必要なプロセスデータがそろったと判定されたならば、承認要求判定部３はプラント責任者による承認が必要なデータ、すなわち、運転データの承認要求データが発生したことを示す表示を行うように表示処理部４へ通知し、表示処理部４ではその通知をもって表示装置上にプラント責任者による承認が必要であることを示す表示を行う。
【００４８】
【発明の効果】
以上説明したように請求項１の発明によれば、プラントの運転管理に必要な運転データの収集が完了するとテーブルへ保存されると共に、表示装置を介して承認行為を求める通知をするので、表示によって承認実行者は承認の必要なことが判り、直ちに承認ができる。従って、従来のように、紙に記載された運転データを承認実行者に提示して承認を得る手間が削減される一方、未承認のまま放置される等の運転管理上の弊害が除去できる。
【００４９】
請求項２の発明によれば、承認行為者を特定するデータを通知して承認行為の有資格者のみの承認行為を有効とするので、限定されたもののみがが承認行為をでき保存される運転データの信頼性を確保できる。
【００５０】
請求項３の発明によれば、承認者名等と運転データとの関連付けをすると共に、承認済を指標でテーブルへ保存するので、運転データの管理が効果的にできる。また、承認実績一覧表示をして、承認、未承認の対象が一目で閲覧できるようにしたもので、管理が徹底でき、管理上の負担も軽減できる。また、未承認データを異なる表示とするので、未承認のものが即座に区別して判り、徹底した管理ができる。
【００５１】
請求項４の発明によれば、所定期間以上の未承認のままの運転データが抽出し表示するので、即座に再度の承認行為の要求ができ、未承認のまま長期間放置され未承認の状態で消去されるおそれが解消できる。
【図面の簡単な説明】
【図１】本発明の第１実施の形態を示す運転データ管理装置の構成図である。
【図２】図１の運転データ管理装置の処理を示すフローチャートである。
【図３】図１の運転データ管理装置に備える承認履歴テーブルの示す構成図である。
【図４】図１の承認行為確定制御部の処理を示すフローチャートである。
【図５】本発明の第２実施の形態を示す運転データ管理装置の構成図である。
【図６】図４の運転データ管理装置の処理を示すフローチャートである。
【図７】図４の運転データ管理装置に備えるＣＲＴ装置の第１の画面例である。
【図８】図４の運転データ管理装置に備えるＣＲＴ装置の第２の画面例である。
【図９】図４の運転データ管理装置に備えるセキュリティ管理部の一例を示す構成図である。
【図１０】本発明の第３実施の形態を示す運転データ管理装置の構成図である。
【図１１】図１０のＣＲＴ装置に表示される第１の承認実績一覧ウィンドウの表示例である。
【図１２】図１０のＣＲＴ装置に表示される第２の承認実績一覧ウィンドウの表示例である。
【図１３】本発明の第４実施の形態を示す運転データ管理装置の構成図である。
【図１４】図１３の運転データ管理装置の処理を示すフローチャートである。
【図１５】本発明の第５実施の形態を示す運転データ管理装置の構成図である。
【図１６】従来の運転データ管理装置を示す構成図である。
【符号の説明】
１  プロセスデータ入力部
２  データ収集判定部
３  承認要求判定部
４  表示処理部
５  表示装置
６  入力装置
７  対話入力処理部
８  承認行為実行制御部
９  セキュリティ管理部
１０  承認行為確定制御部
１１  承認履歴テーブル
１２  保存期間チェック部
【図１】
0003775764.tif 000002
【図２】
0003775764.tif 000003
【図３】
0003775764.tif 000004
【図４】
0003775764.tif 000005
【図５】
0003775764.tif 000006
【図６】
0003775764.tif 000007
【図７】
0003775764.tif 000008
【図８】
0003775764.tif 000009
【図９】
0003775764.tif 000010
【図１０】
0003775764.tif 000011
【図１１】
0003775764.tif 000012
【図１２】
0003775764.tif 000013
【図１３】
0003775764.tif 000014
【図１４】
0003775764.tif 000015
【図１５】
0003775764.tif 000016
【図１６】
0003775764.tif 000017